(57)【要約】【課題】カバーを被取付部材に取り付けるにあたって取付作業性を向上させる。【解決手段】本明細書によって開示されるカバーのガイド構造１は、カバー１０と、カバー１０が後方から取り付けられる被取付部材（リテーナ２０）とを備えたカバーのガイド構造１であって、カバー１０は、一対の差込片１２と、複数のロック部（ロック突部１３Ａ）とを備えて構成され、被取付部材は、本体部２１と、複数のガイド部と、一対のガイド部（ガイド片２２Ｌ）にそれぞれ設けられ一対の差込片１２が後方から内部に進入可能とされた一対の差込凹部２６と、複数のロック部が係止することでカバー１０が被取付部材に取り付けられた状態に保持される複数のロック受け部２３とを備えて構成され、一対の差込片１２の先端部を一対の差込凹部２６の開口部に位置させた状態でカバー１０が被取付部材に対して傾いた姿勢で仮組みされる構成とした。【選択図】図１
2017216047.tif 000002
【特許請求の範囲】
【請求項１】
カバーと、前記カバーが後方から取り付けられる被取付部材とを備えたカバーのガイド構造であって、
前記カバーは、カバー本体と、前記カバー本体の周縁部から前方に突出して設けられた一対の差込片と、前記カバー本体の周縁部において所定の間隔を空けて設けられた複数のロック部とを備えて構成され、
前記被取付部材は、前記カバー本体によって後方から覆われる本体部と、前記本体部の周縁部から後方に突出して設けられた複数のガイド部と、前記複数のガイド部のうちいずれか一対のガイド部にそれぞれ設けられ前記一対の差込片が後方から内部に進入可能とされた一対の差込凹部と、前記複数のロック部が係止することで前記カバーが前記被取付部材に取り付けられた状態に保持される複数のロック受け部とを備えて構成され、
前記一対の差込片の先端部を前記一対の差込凹部の開口部に位置させた状態で前記カバーが前記被取付部材に対して傾いた姿勢で仮組みされるカバーのガイド構造。
【請求項２】
前記カバーが前記被取付部材に対して傾いた姿勢で仮組みされた際に、前記カバー本体における前記本体部に近い側となる基端側に前記差込片が設けられ、前記本体部における前記カバー本体に近い側となる一端側に前記差込凹部が設けられている請求項１に記載のカバーのガイド構造。
【請求項３】
前記カバー本体の周縁部には、前記一対の差込片と複数のロック片とが所定の間隔を空けて前方に突出して設けられており、前記ロック部は前記ロック片の先端部に設けられている請求項１または請求項２に記載のカバーのガイド構造。
【請求項４】
前記カバー本体における前記一対の差込片とは反対側となる端部に電線導出孔を構成する一対の取付片が設けられており、
前記一対の差込片が前記一対のガイド部の外周面に沿って前記差込凹部の内部に進入する際には、前記一対の取付片が前記一対のガイド部以外の他の一対のガイド部の外周面に沿って配される請求項１から請求項３のいずれか一項に記載のカバーのガイド構造。
【発明の詳細な説明】
【技術分野】
【０００１】
本明細書によって開示される技術は、カバーのガイド構造に関する。
【背景技術】
【０００２】
従来、電線カバーをコネクタハウジングに取り付ける際のガイド構造を備えたコネクタとして、特開２００７−６６６７９号公報（下記特許文献１）に記載のレバー式コネクタが知られている。このレバー式コネクタは、レバーが回動可能に取り付けられた雌ハウジングと、雌ハウジングに後方から取り付けられる電線カバーとを備えて構成されている。レバー式コネクタには、電線カバーを雌ハウジングの電線引出し面に取り付けるにあたり、その取付動作を案内するガイド構造が設けられている。
【０００３】
次に、そのガイド構造について説明する。電線カバーにおいて雌ハウジングの電線引出し面を覆う開口部には、一対のロック受け部が設けられ、さらに一対のロック受け部の間には、突出部が略山形に突出して設けられている。一方、雌ハウジングの電線引出し面には、突出部が内部に進入する仕切り壁と、一対のロック受け部が係止する一対のロック突起とが設けられている。突出部を仕切り壁の内部に進入させた後、電線カバーが位置ずれしようとすると突出部と仕切り壁とが摺動することで電線カバーが正規の取付位置に案内され、一対のロック受け部が一対のロック突起に係止することで電線カバーが雌ハウジングに取り付けられる。
【先行技術文献】
【特許文献】
【０００４】
【特許文献１】特開２００７−６６６７９号公報
【発明の概要】
【発明が解決しようとする課題】
【０００５】
上記のガイド構造では、突出部が仕切り壁に対して正規の進入経路をとった場合、突出部と仕切り壁が摺動しないため、突出部が仕切り壁の内部に進入したことを確認できない。何故ならば、突出部がそもそも仕切り壁の内部に進入せず、仕切り壁の外部に位置した場合も同様に、突出部と仕切り壁が摺動しないため、正規の進入経路をとった場合との区別が付かないからである。
【０００６】
さらに、上記のガイド構造では、最終的に一対のロック受け部が一対のロック突起に係止したことをもって突出部が仕切り壁の内部に進入できたことを事後的に知ることになる。仮に一対のロック受け部を一対のロック突起に係止させることができなかった場合、電線カバーを外してから、再び雌ハウジングに取り付ける必要があるため、取付に必要な時間が長くなり、取付作業性が低下することになる。したがって、取付作業性を向上させるには取付作業の開始時に電線カバーが正規の取付姿勢であることを確認できることが望ましい。
【課題を解決するための手段】
【０００７】
本明細書によって開示されるカバーのガイド構造は、カバーと、前記カバーが後方から取り付けられる被取付部材とを備えたカバーのガイド構造であって、前記カバーは、カバー本体と、前記カバー本体の周縁部から前方に突出して設けられた一対の差込片と、前記カバー本体の周縁部において所定の間隔を空けて設けられた複数のロック部とを備えて構成され、前記被取付部材は、前記カバー本体によって後方から覆われる本体部と、前記本体部の周縁部から後方に突出して設けられた複数のガイド部と、前記複数のガイド部のうちいずれか一対のガイド部にそれぞれ設けられ前記一対の差込片が後方から内部に進入可能とされた一対の差込凹部と、前記複数のロック部が係止することで前記カバーが前記被取付部材に取り付けられた状態に保持される複数のロック受け部とを備えて構成され、前記一対の差込片の先端部を前記一対の差込凹部の開口部に位置させた状態で前記カバーが前記被取付部材に対して傾いた姿勢で仮組みされる構成とした。
【０００８】
このような構成によると、一対の差込片の先端部を一対の差込凹部の開口部に位置させた状態でカバーを被取付部材に対して傾いた姿勢（仮組開始姿勢）にすると、一対の差込片の先端部が一対の差込凹部の開口部に干渉し、一対の差込片が一対の差込凹部の内部に進入できない状態で仮組みされる。次に、一対の差込片の先端部が一対の差込凹部の開口部に干渉した箇所を回動中心としてカバーを被取付部材側に回動させてカバーが被取付部材に対して平行をなす姿勢（本組開始姿勢）に至ると、一対の差込片の先端部と一対の差込凹部の開口部との干渉が解消され、一対の差込片が一対の差込凹部の内部に進入し始める。これにより、カバーを被取付部材に取り付ける本組み動作が案内され、カバーが正規の取付位置に至ると、複数のロック部が複数のロック受け部に係止することでカバーが被取付部材に取り付けられた状態に保持される。
【０００９】
このように、一対の差込片の先端部が一対の差込凹部の開口部に干渉することでカバーが被取付部材に対して仮組開始姿勢をとっていることの確認ができる。また、干渉した箇所を回動中心としてカバーを回動できるため、カバーの仮組み動作を案内することができる。さらに、干渉が解消されることで、カバーが本組開始姿勢に至ったことを知ることができる。このように、カバーの取付作業の開始時に異常がないこと、すなわち仮組開始姿勢にあることを確認できる。したがって、取付作業の終了直前（例えば、複数のロック部を複数のロック受け部に係止させる時点）で初めて異常であることに気付くということがなく、仮に異常があったとしても取付作業の開始時に異常を知ることができるから、再取付に要する時間が短くなり、取付作業性を向上させることができる。
【００１０】
本明細書によって開示されるカバーのガイド構造は、以下の構成としてもよい。
前記カバーが前記被取付部材に対して傾いた姿勢で仮組みされた際に、前記カバー本体における前記本体部に近い側となる基端側に前記差込片が設けられ、前記本体部における前記カバー本体に近い側となる一端側に前記差込凹部が設けられている構成としてもよい。
このような構成によると、カバーを被取付部材に対して傾けた姿勢で仮組みする際に、一対の差込片を外部から視認しやすくなり、一対の差込片の先端部を一対の差込凹部の開口部に合わせやすくなる。
【００１１】
前記カバー本体の周縁部には、前記一対の差込片と複数のロック片とが前方に突出して交互に並んで設けられており、前記ロック部は前記ロック片の先端部に設けられている構成としてもよい。
このような構成によると、一対の差込片とともにロック片を外部から視認しやすくなる。
【００１２】
前記カバー本体における前記一対の差込片とは反対側となる端部に電線導出孔を構成する一対の取付片が設けられており、前記一対の差込片が前記一対のガイド部の外周面に沿って前記差込凹部の内部に進入する際には、前記一対の取付片が前記一対のガイド部以外の他の一対のガイド部の外周面に沿って配される構成としてもよい。
このような構成によると、一対の差込片に加えて一対の取付片によってカバーを被取付部材に取り付ける本組み作業を案内することができる。
【発明の効果】
【００１３】
本明細書によって開示されるカバーのガイド構造によれば、カバーを被取付部材に取り付けるにあたって取付作業性を向上させることができる。
【図面の簡単な説明】
【００１４】
【図１】カバーを傾けた姿勢で配置した状態を示した側面図
【図２】カバーを傾けた姿勢で配置した状態を示した斜視図
【図３】カバーを傾けた姿勢で配置した状態を示した正面図
【図４】カバーが正規の取付開始姿勢にある状態を示した側面図
【図５】カバーがリテーナに取り付けられた状態に保持された様子を示した側面図
【図６】図５におけるＡ−Ａ線断面図
【図７】図６の一点鎖線で囲んだ部分を拡大して示した断面図
【発明を実施するための形態】
【００１５】
＜実施形態＞
実施形態を図１から図７の図面を参照しながら説明する。本実施形態におけるカバーのガイド構造１は、図１に示すように、カバー１０と、カバー１０が取り付けられるリテーナ２０とを備えて構成されている。カバー１０は合成樹脂製であって、リテーナ２０から後方に引き出された電線（図示せず）を略直角に屈曲させて当該電線を保護するためのものである。一方、リテーナ２０は合成樹脂製であって、車両のボディに固定されたハウジング（図示せず）に装着され、当該ハウジングの内部に収容された端子（図示せず）を抜け止めするためのものである。なお、以下においてカバー１０とリテーナ２０の取付方向を前後方向とし、カバー１０側を後側、リテーナ２０側を前側として説明する。
【００１６】
リテーナ２０は、図１および図２に示すように、略円形の平板状をなす本体部２１と、本体部２１の周縁部から後方に突出する形態をなす複数のガイド片２２Ｌ、２２Ｒとを備えて構成されている。複数のガイド片２２Ｌ、２２Ｒは、後方から見て略円弧状とされている。本実施形態では４つのガイド片２２Ｌ、２２Ｒが本体部２１の周縁部に沿ってほぼ等間隔に並んで設けられている。以下においては、４つのガイド片２２Ｌ、２２Ｒのうち図１における図示左側に位置するものを一対のガイド片２２Ｌとし、図１における図示右側に位置するものを一対のガイド片２２Ｒとして区別する。
【００１７】
本体部２１の周縁部のうち左側のガイド片２２Ｌと右側のガイド片２２Ｒとの間には、ロック受け部２３が設けられている。ロック受け部２３の前面２３Ａには、後述するロック突部１３Ａが前方から係止するようになっている。
【００１８】
また、本体部２１の周縁部には、図示しないハウジングに設けられた複数の突起に係止する複数の弾性係止片２４が前方に突出して設けられている。各弾性係止片２４は、本体部２１の周縁部において各ガイド片２２Ｌ、２２Ｒとほぼ同じ位置に設けられている。また、本体部２１には、図示しない端子に後方から係止することで当該端子を抜け止めする複数の係止筒部２５が設けられている。この係止筒部２５の内部には、端子の後方に連なる電線が挿通され、係止筒部２５から後方に引き出された電線がカバー１０によって略直角に曲げられる。
【００１９】
カバー１０は、図１および図２に示すように、略円形の平板状をなすカバー本体１１と、カバー本体１１の周縁部から前方に突出する形態をなす複数の差込片１２、ロック片１３、および取付片１４とを備えて構成されている。図３に示すように、カバー１０の右側には、電線を外部に導出させる電線導出孔１５が開口して設けられている。この電線導出孔１５を構成する両側の壁部が一対の取付片１４とされている。詳細には、取付片１４は、カバー本体１１の周縁部に沿って円弧状をなす周壁部１４Ａと、カバー本体１１の周縁部から径方向外側に延びて直線状をなす導出部１４Ｂとから構成されている。また、一対の導出部１４Ｂを連結する連結部１１Ａがカバー本体１１と面一をなすように設けられている。
【００２０】
図１に示すように、カバー本体１１の周縁部における取付片１４と反対側の位置と、一対の取付片１４に隣り合う位置とには、複数のロック片１３が設けられている。つまり、カバー１０がリテーナ２０に対して傾いた姿勢で位置決めされた際に、カバー本体１１における本体部２１に近い側となる基端側に差込片１２が設けられている。本実施形態では３つのロック片１３がカバー本体１１の周縁部に沿ってほぼ等間隔に並んで設けられている。また、隣り合う一対のロック片１３の間に差込片１２が１つずつ設けられている。本実施形態では２つの差込片１２が設けられている。したがって、カバー本体１１の周縁部には、一対の差込片１２と複数のロック片１３とが前方に突出して交互に並んで設けられている。
【００２１】
ロック片１３の先端部には、ロック突部１３Ａが内側に突出して設けられている。カバー１０をリテーナ２０に正規に取り付けると、図５に示すように、ロック突部１３Ａがロック受け部２３の前面２３Ａに対して前方から係止するようになっている。これにより、カバー１０がリテーナ２０に取り付けられた状態に保持される。
【００２２】
さて、図２に示すように、左側のガイド片２２Ｌの外周面には、差込片１２が内部に進入可能な差込凹部２６が設けられている。言い換えると、カバー１０がリテーナ２０に対して傾いた姿勢で位置決めされた際に、カバー本体１１における本体部２１に近い側となる基端側に差込片１２が設けられている。差込凹部２６は、前後方向に貫通する形態をなしている。また、図７に示すように、差込凹部２６の内部空間は、中央部が幅狭部２６Ａとされているのに対して、左右両側が中央部よりも幅が広い幅広部２６Ｂとされている。
【００２３】
カバー１０をリテーナ２０に取り付ける際には、図２に示すように、カバー１０を傾けた姿勢とし、差込片１２の角部１２Ａを差込凹部２６の開口部に進入させる。このとき、差込片１２の角部１２Ａを差込凹部２６の幅広部２６Ｂに進入させることで、差込片１２の角部１２Ａを差込凹部２６の開口部に進入させやすいようになっている。
【００２４】
また、カバー１０がリテーナ２０に取り付けられた状態では、差込凹部２６の幅狭部２６Ａにおいて差込片１２が幅狭部２６Ａとガイド片２２Ｌとの間にほぼ挟まれた状態になるため、カバー１０のがたつきを効果的に抑制、異音の発生を防止することができるようになっている。
【００２５】
図１に示す状態から差込片１２の角部１２Ａを差込凹部２６の内部に進入させると、差込片１２が差込凹部２６の開口部（主に幅狭部２６Ａ）に干渉することでカバー１０がリテーナ２０に対して傾いた姿勢（仮組み開始姿勢）で仮組みされるようになっている。この状態では、干渉した箇所を回動中心として、図１の一点鎖線で示すように、カバー１０の取付片１４側をリテーナ２０側に回動させることができるようになっている。このようにすることで、カバー１０の仮組み動作が案内される。
【００２６】
次に、取付片１４がガイド片２２Ｒの外周側に嵌合するまでカバー１０を回動させると、図４に示すように、カバー１０がリテーナ２０に対して平行をなす姿勢（本組開始姿勢）をとる。本組開始姿勢となったカバー１０をそのまま前方に押し込むと、差込片１２が差込凹部２６の内部に進入していくことでカバー１０の本組み動作が案内される。そして、複数のロック突部１３Ａが複数のロック受け部２３を乗り越えて復帰し、ロック受け部２３の前面２３Ａに前方から係止することで、図５に示すように、カバー１０がリテーナ２０に正規に取り付けられ、抜け止めされた状態に保持される。このようにして、カバー１０の本組み動作が完了する。したがって、カバー１０の仮組み開始から本組み完了に至るまでの間、常にカバー１０の動作が案内されており、カバー１０の取付ミスをなくすとともに、カバー１０の取付に要する時間が短くなり、カバー１０の取付作業性を向上させることができる。
【００２７】
以上のように本実施形態では、一対の差込片１２の先端部を一対の差込凹部２６の開口部に位置させた状態でカバー１０を被取付部材（リテーナ２０）に対して傾いた姿勢（仮組開始姿勢）にすると、一対の差込片１２の先端部が一対の差込凹部２６の開口部に干渉し、一対の差込片１２が一対の差込凹部２６の内部に進入できない状態で仮組みされる。次に、一対の差込片１２の先端部が一対の差込凹部２６の開口部に干渉した箇所を回動中心としてカバー１０を被取付部材側に回動させてカバー１０が被取付部材に対して平行をなす姿勢（本組開始姿勢）に至ると、一対の差込片１２の先端部と一対の差込凹部２６の開口部との干渉が解消され、一対の差込片１２が一対の差込凹部２６の内部に進入し始める。これにより、カバー１０を被取付部材に取り付ける本組み動作が案内され、カバー１０が正規の取付位置に至ると、複数のロック部（ロック突部１３Ａ）が複数のロック受け部２３に係止することでカバー１０が被取付部材に取り付けられた状態に保持される。
【００２８】
このように、一対の差込片１２の先端部が一対の差込凹部２６の開口部に干渉することでカバー１０が被取付部材に対して仮組開始姿勢をとっていることの確認ができる。また、干渉した箇所を回動中心としてカバー１０を回動できるため、カバー１０の仮組み動作を案内することができる。さらに、干渉が解消されることで、カバーが本組開始姿勢に至ったことを知ることができる。このように、カバー１０の取付作業の開始時に異常がないこと、すなわち仮組開始姿勢にあることを確認できる。したがって、取付作業の終了直前（例えば、複数のロック部を複数のロック受け部２３に係止させる時点）で初めて異常であることに気付くということがなく、仮に異常があったとしても取付作業の開始時に異常を知ることができるから、再取付に要する時間が短くなり、取付作業性を向上させることができる。
【００２９】
カバー１０が被取付部材に対して傾いた姿勢で位置決めされた際に、カバー本体１１における本体部２１に近い側となる基端側に差込片１２が設けられ、本体部２１におけるカバー本体１１に近い側となる一端側に差込凹部２６が設けられている構成としてもよい。
このような構成によると、カバー１０をリテーナ２０に対して傾けた姿勢で仮組みする際に、一対の差込片１２を外部から視認しやすくなり、一対の差込片１２の先端部を一対の差込凹部２６の開口部に合わせやすくなる。
【００３０】
カバー本体１１の周縁部には、一対の差込片１２と複数のロック片１３とが前方に突出して交互に並んで設けられており、ロック部はロック片１３の先端部に設けられている構成としてもよい。
このような構成によると、一対の差込片１２とともにロック片１３を外部から視認しやすくなる。
【００３１】
カバー本体１１における一対の差込片１２とは反対側となる端部に電線導出孔１５を構成する一対の取付片１４が設けられており、一対の差込片１２が一対のガイド部（ガイド片２２Ｌ）の外周面に沿って差込凹部２６の内部に進入する際には、一対の取付片１４が一対のガイド部（ガイド片２２Ｌ）以外の他の一対のガイド部（ガイド片２２Ｒ）の外周面に沿って配される構成としてもよい。
このような構成によると、一対の差込片１２に加えて一対の取付片１４によってカバー１０を被取付部材に取り付ける本組み作業を案内することができる。
【００３２】
＜他の実施形態＞
本明細書によって開示される技術は上記記述及び図面によって説明した実施形態に限定されるものではなく、例えば次のような種々の態様も含まれる。
（１）上記実施形態では被取付部材としてリテーナ２０を例示しているものの、ハウジングにカバーを直接取り付ける場合には、ハウジングを被取付部材としてもよい。
【００３３】
（２）上記実施形態ではカバー本体１１における電線導出孔１５とは反対側の端部に一対の差込片１２が設けられ、本体部２１の一端側に差込凹部２６が設けられているものの、一対の差込片と一対の差込凹部の開口部とが干渉する箇所を回動中心としてカバーが回動可能であれば、一対の差込片と一対の差込凹部との位置は問わない。
【００３４】
（３）上記実施形態ではガイド片２２Ｌの外周面に差込凹部２６が設けられているものの、ガイド片２２Ｌの内周面に差込凹部を設けてもよい。
【００３５】
（４）上記実施形態では差込片１２とは別にロック片１３を設けているものの、ロック片を差込片として利用してもよい。この場合、ロック片１３のロック突部１３Ａが挿通できるように差込凹部を設ければよい。
【符号の説明】
【００３６】
１…カバーのガイド構造
１０…カバー
１１…カバー本体
１２…差込片
１３…ロック片
１３Ａ…ロック突部
１５…電線導出孔
２０…リテーナ（被取付部材）
２１…本体部
２２Ｌ…ガイド片（一対のガイド部）
２２Ｒ…ガイド片（他の一対のガイド部）
２３…ロック受け部
２６…差込凹部
【図１】
2017216047.tif 000003
【図２】
2017216047.tif 000004
【図３】
2017216047.tif 000005
【図４】
2017216047.tif 000006
【図５】
2017216047.tif 000007
【図６】
2017216047.tif 000008
【図７】
2017216047.tif 000009